【手続補正書】
【提出日】平成16年5月27日(2004.5.27)
【手続補正１】
【補正対象書類名】明細書
【補正対象項目名】発明の名称
【補正方法】変更
【補正の内容】
【発明の名称】画像送信装置、画像受信装置及び制御方法
【手続補正２】
【補正対象書類名】明細書
【補正対象項目名】特許請求の範囲
【補正方法】変更
【補正の内容】
【特許請求の範囲】
【請求項１】
動画像を送信する画像送信装置であって、
前記動画像を受信する画像受信装置からの要求情報に応じて前記動画像の中の特定の画像を高精細な静止画像にするための高精細情報を送信する送信手段を有することを特徴とする画像送信装置。
【請求項２】
前記動画像を第１の転送方式によって送信し、前記高精細情報を第２の転送方式によって送信することを特徴とする請求項１に記載の画像送信装置。
【請求項３】
前記動画像をＩｓｏｃｈｒｏｎｏｕｓ転送方式によって送信し、前記高精細情報をＡｓｙｎｃｈｒｏｎｏｕｓ転送方式によって送信することを特徴とする請求項１又は２に記載の画像送信装置。
【請求項４】
前記高精細情報は、前記特定の画像の高周波成分を有することを特徴とする請求項１から３の何れか１項に記載の画像送信装置。
【請求項５】
前記高精細情報は、色空間特性に関する情報を有することを特徴とする請求項１から４の何れか１項に記載の画像送信装置。
【請求項６】
動画像を送信する画像送信装置における制御方法であって、
前記動画像を受信する画像受信装置からの要求情報に応じて前記動画像の中の特定の画像を高精細な静止画像にするための高精細情報を送信する工程を有することを特徴とする制御方法。
【請求項７】
前記動画像を第１の転送方式によって送信する工程と、前記高精細情報を第２の転送方式によって送信する工程とを有することを特徴とする請求項６に記載の制御方法。
【請求項８】
前記動画像をＩｓｏｃｈｒｏｎｏｕｓ転送方式によって送信する工程と、前記高精細情報をＡｓｙｎｃｈｒｏｎｏｕｓ転送方式によって送信する工程とを有することを特徴とする請求項６又は７に記載の制御方法。
【請求項９】
前記高精細情報は、前記特定の画像の高周波成分を有することを特徴とする請求項６から８の何れか１項に記載の制御方法。
【請求項１０】
前記高精細情報は、色空間特性に関する情報を有することを特徴とする請求項６から９の何れか１項に記載の制御方法。
【請求項１１】
画像送信装置から送信された動画像を受信する画像受信装置であって、
前記動画像の中の特定の画像を高精細な静止画像にするための高精細情報を要求する要求情報を前記画像送信装置に送信する送信手段を有することを特徴とする画像受信装置。
【請求項１２】
前記動画像を第１の転送方式によって受信し、前記高精細情報を第２の転送方式によって受信することを特徴とする請求項１１に記載の画像受信装置。
【請求項１３】
前記動画像をＩｓｏｃｈｒｏｎｏｕｓ転送方式によって受信し、前記高精細情報をＡｓｙｎｃｈｒｏｎｏｕｓ転送方式によって受信することを特徴とする請求項１１又は１２に記載の画像受信装置。
【請求項１４】
前記高精細情報は、前記特定の画像の高周波成分を有することを特徴とする請求項１１から１３の何れか１項に記載の画像受信装置。
【請求項１５】
前記高精細情報は、色空間特性に関する情報を有することを特徴とする請求項１１から１４の何れか１項に記載の画像受信装置。
【請求項１６】
画像送信装置から送信された動画像を受信する画像受信装置における制御方法であって、
前記動画像の中の特定の画像を高精細な静止画像にするための高精細情報を要求する要求情報を前記画像送信装置に送信する工程を有することを特徴とする制御方法。
【請求項１７】
前記動画像を第１の転送方式によって受信する工程と、前記高精細情報を第２の転送方式によって受信する工程とを有することを特徴とする請求項１６に記載の制御方法。
【請求項１８】
前記動画像をＩｓｏｃｈｒｏｎｏｕｓ転送方式によって受信する工程と、前記高精細情報をＡｓｙｎｃｈｒｏｎｏｕｓ転送方式によって受信する工程とを有することを特徴とする請求項１６又は１７に記載の制御方法。
【請求項１９】
前記高精細情報は、前記特定の画像の高周波成分を有することを特徴とする請求項１６から１８の何れか１項に記載の制御方法。
【請求項２０】
前記高精細情報は、色空間特性に関する情報を有することを特徴とする請求項１６から１９の何れか１項に記載の制御方法。
【手続補正３】
【補正対象書類名】明細書
【補正対象項目名】０００１
【補正方法】変更
【補正の内容】
【０００１】
【発明の属する技術分野】
本発明は、動画像を送信する画像送信装置、動画像を受信する画像受信装置及びそれらにおける制御方法に関する。
【手続補正４】
【補正対象書類名】明細書
【補正対象項目名】０００４
【補正方法】変更
【補正の内容】
【０００４】
そこで、本発明は、動画像の中の特定の画像を高精細な静止画像にするための高精細情報を送信又は受信することができる画像送信装置、画像受信装置及び制御方法を提供することを目的とする。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
【課題を解決するための手段】
本発明に係る画像送信装置は、動画像を送信する画像送信装置であって、前記動画像を受信する画像受信装置からの要求情報に応じて前記動画像の中の特定の画像を高精細な静止画像にするための高精細情報を送信する送信手段を有することを特徴とする。
また、本発明に係る制御方法は、動画像を送信する画像送信装置における制御方法であって、前記動画像を受信する画像受信装置からの要求情報に応じて前記動画像の中の特定の画像を高精細な静止画像にするための高精細情報を送信する工程を有することを特徴とする。
【手続補正８】
【補正対象書類名】明細書
【補正対象項目名】０００８
【補正方法】変更
【補正の内容】
【０００８】
また、本発明に係る画像受信装置は、画像送信装置から送信された動画像を受信する画像受信装置であって、前記動画像の中の特定の画像を高精細な静止画像にするための高精細情報を要求する要求情報を前記画像送信装置に送信する送信手段を有することを特徴とする。
また、本発明に係る制御方法は、画像送信装置から送信された動画像を受信する画像受信装置における制御方法であって、前記動画像の中の特定の画像を高精細な静止画像にするための高精細情報を要求する要求情報を前記画像送信装置に送信する工程を有することを特徴とする。
【手続補正９】
【補正対象書類名】明細書
【補正対象項目名】０００９
【補正方法】削除
【補正の内容】
【手続補正１０】
【補正対象書類名】明細書
【補正対象項目名】００１７
【補正方法】変更
【補正の内容】
【００１７】
図２に１３９４規格のＡｓｙｃｈｒｏｎｏｕｓ転送により、前述した高精細情報リクエストを動画データの送信元へ伝送する例を示す。図２（ａ）に示されるように、動画像受信ノードＢから動画像送信ノードＡに対して、高精細情報リクエストが送信される。図２（ｂ）にＩｓｏｃｈｒｏｎｏｕｓ転送サイクルに対し、高精細情報リクエストがＡｓｙｎｃｈｒｏｎｏｕｓ転送パケットとして送出される例を示す。Ａｓｙｎｃｈｒｏｎｏｕｓ転送はＩｓｏｃｈｒｏｎｏｕｓ転送とは異なり伝送完了までの時間（速度）が保証されてはいないが、予め決められているＩｓｏｃｈｒｏｎｏｕｓ転送サイクルの空き時間を使って伝送されるのでＩｓｏｃｈｒｏｎｏｕｓ転送の伝送帯域を占有せず、高精細情報リクエストのように間欠的なデータパケットを伝送する場合に有効である。
【手続補正１１】
【補正対象書類名】明細書
【補正対象項目名】００３８
【補正方法】変更
【補正の内容】
【００３８】
【発明の効果】
本発明によれば、動画像の中の特定の画像を高精細な静止画像にするための高精細情報を送信又は受信することができる。